【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
調整可能な屈折力の眼内レンズであって、
光学部品と、前記光学部品の少なくとも一部の周りに延びる周辺部品とを有する容器であって、前記光学部品は、前方光学素子と、後方光学素子と、前記前方光学素子と前記後方光学素子との間にチャンバ体積を有する流体チャンバとを有する、容器と、
前記容器内の光学流体と、
光学流体中に溶解した輸送物質であって、前記輸送物質は、前記容器内を通過するように構成されている、輸送物質と、
前記容器内の体積制御素子であって、前記体積制御素子は、非侵襲的エネルギーにより作動し、作動すると、前記輸送物質を前記光学流体中に放出して前記チャンバ体積を減少させ、かつ／または前記輸送物質を前記光学流体から吸収して前記チャンバ体積を増加させるように構成されている、体積制御素子と
を含む、調整可能な屈折力の眼内レンズ。
【請求項２】
前記体積制御素子は、前記輸送物質を前記光学流体中に放出して前記チャンバ体積を減少させるように構成された第１の体積制御素子のみを含む、請求項１に記載の調整可能な屈折力の眼内レンズ。
【請求項３】
前記体積制御素子は、前記輸送物質を前記光学流体から吸収して前記チャンバ体積を増加させるように構成された第２の体積制御素子のみを含む、請求項１に記載の調整可能な屈折力の眼内レンズ。
【請求項４】
前記体積制御素子は、
前記輸送物質を前記光学流体中に放出して前記チャンバ体積を減少させるように構成された第１の体積制御素子と、
前記輸送物質を前記光学流体から吸収して前記チャンバ体積を増加させるように構成された第２の体積制御素子と
を含む、請求項１に記載の調整可能な屈折力の眼内レンズ。
【請求項５】
前記第１の体積制御素子は、第１の種類のエネルギーにより作動し、
前記第２の体積制御素子は、前記第１の種類のエネルギーとは異なる第２の種類のエネルギーにより作動する、請求項４に記載の調整可能な屈折力の眼内レンズ。
【請求項６】
前記第１の種類のエネルギーは、レーザエネルギー、超音波エネルギー、電気エネルギー、および赤外線エネルギーを含む群から選択され、
前記第２の種類のエネルギーは、レーザエネルギー、超音波エネルギー、電気エネルギー、および赤外線エネルギーを含む群から選択される異なる種類のエネルギーである、請求項５に記載の調整可能な屈折力の眼内レンズ。
【請求項７】
前記第１の体積制御素子は、第１の波長または周波数のエネルギーにより作動し、
前記第２の体積制御素子は、前記第１の波長または周波数とは異なる第２の波長または周波数の、同じ種類のエネルギーにより作動する、請求項４に記載の調整可能な屈折力の眼内レンズ。
【請求項８】
前記エネルギーは、レーザエネルギーであり、前記第１の波長は、第１の帯域幅内にあり、前記第２の波長は、前記第１の帯域幅の外側の第２の帯域幅内にある、請求項７に記載の調整可能な屈折力の眼内レンズ。
【請求項９】
前記エネルギーは、超音波エネルギーであり、前記第１の周波数は、第１の周波数範囲内にあり、前記第２の周波数は、前記第１の周波数範囲とは異なる第２の周波数範囲内にある、請求項７に記載の調整可能な屈折力の眼内レンズ。
【請求項１０】
前記エネルギーは、無線周波数エネルギーであり、前記第１の周波数は、第１の周波数範囲内にあり、前記第２の周波数は、前記第１の周波数範囲とは異なる第２の周波数範囲内にある、請求項７に記載の調整可能な屈折力の眼内レンズ。
【請求項１１】
前記光学流体は、オイルを含み、前記輸送物質は、水を含む、請求項１に記載の調整可能な屈折力の眼内レンズ。
【請求項１２】
前記周辺部品は、外側流体リザーバを含み、
前記光学部品は、前記周辺部品と流体連通する調節光学部品を含み、前記光学流体は、天然眼の毛様体筋の動きに応じて、前記周辺部品と前記光学部品との間で流れ、
前記体積制御素子は、（ａ）作動すると前記輸送物質を放出するように構成された第１の体積制御素子、および（ｂ）作動すると前記輸送物質を吸収するように構成された第２の体積制御素子を含む、請求項１に記載の調整可能な屈折力の眼内レンズ。
【請求項１３】
前記光学流体は、オイルを含み、
前記輸送物質は、水を含み、
前記第１の体積制御素子は、作動すると破壊され、前記輸送物質を前記光学流体中に放出し、前記放出した輸送物質の少なくとも一部は、前記容器から流れ出すことにより、前記流体チャンバ内の物質の体積が減少し、
前記第２の体積制御素子は、作動すると破壊され、前記輸送物質を前記光学流体から吸収することにより大きくなり、前記容器の外部からの追加の輸送流体が、前記容器に流れ込むことにより、前記流体チャンバ内の物質の体積が増加する、請求項１２に記載の調整可能な屈折力の眼内レンズ。
【請求項１４】
前記体積制御素子は、
シェルと、前記シェル内に含まれる水とを有する第１の体積制御素子と、
シェルと、前記シェル内に含まれる脱水ヒドロゲルとを有する第２の体積制御素子と
を含む、請求項１に記載の調整可能な屈折力の眼内レンズ。
【請求項１５】
前記シェルは、ワックスまたはリポソームを含む、請求項１４に記載の調整可能な屈折力の眼内レンズ。
【請求項１６】
眼内レンズを移植するシステムであって、前記システムは、
天然眼の天然水晶体嚢に挿入されるように構成された調整可能な屈折力の眼内レンズと、
非侵襲的活性化エネルギーを生成するように構成されたエネルギー源と
を含み、
前記調整可能な屈折力の眼内レンズは、光学流体と、輸送物質と、体積制御素子とを含み、前記体積制御素子は、前記調整可能な屈折力の眼内レンズの屈折力がその場で調整されるように、前記天然嚢への前記調整可能な屈折力の眼内レンズの挿入後に、非侵襲的活性化エネルギーによって作用させられるように構成され、
活性化エネルギーにより、前記調整可能な屈折力の眼内レンズ内の前記体積制御素子は、（ａ）前記輸送物質を前記眼内レンズ内の前記光学流体中に放出し、その結果、前記体積制御素子が収縮し、飽和点を超える過剰な輸送物質が前記調整可能な屈折力の眼内レンズから流れ出すことにより、前記調整可能な屈折力の眼内レンズ内の物質の体積が減少するか、または（ｂ）前記輸送物質を前記光学流体から吸収し、その結果、前記体積制御素子が膨張し、追加の輸送物質が前記調整可能な屈折力の眼内レンズに流れ込むことにより、前記調整可能な屈折力の眼内レンズ内の物質の前記体積が増加する、システム。
【手続補正２】
【補正対象書類名】明細書
【補正対象項目名】００１２
【補正方法】変更
【補正の内容】
【００１２】
容器内の物質の体積は、第１の体積制御素子または第２の体積制御素子を選択的に作動させることにより制御される。第１の体積制御素子または第２の体積制御素子は、体積制御素子の疎水性ケーシングの全て、または一部を破壊することにより作動させることができる。例えば、いくつかの実施形態では、体積制御素子は、体積制御素子を、第１の体積制御素子の第１の疎水性ケーシングまたは第２の体積制御素子の第２疎水性ケーシングのいずれかを選択的に破壊する非侵襲的活性化エネルギーに曝すことにより作動させる。非侵襲的活性化エネルギーは、レーザエネルギー（例えば、光）、超音波、電気エネルギー（例えば、無線周波数）、および／または赤外線を含むことができる。
本発明は、例えば、以下を提供する。
（項目１）
調整可能な屈折力の眼内レンズであって、
光学部品と、前記光学部品の少なくとも一部の周りに延びる周辺部品と、を有する容器であって、前記光学部品が前方光学素子と、後方光学素子と、前記前方光学素子と前記後方光学素子との間にチャンバ体積を有する流体チャンバと、を有する、容器と、
前記容器内の光学流体と、
光学流体中に溶解した輸送物質であって、前記輸送物質が前記容器内を通過するように構成されている、輸送物質と、
前記容器内の体積制御素子であって、前記体積制御素子が、非侵襲的エネルギーにより作動し、作動すると、前記輸送物質を前記光学流体中に放出して前記チャンバ体積を減少させ、かつ／または前記輸送物質を前記光学流体から吸収して前記チャンバ体積を増加させるように構成されている、体積制御素子と、を含む、調整可能な屈折力の眼内レンズ。
（項目２）
前記体積制御素子が、前記輸送物質を前記光学流体中に放出して前記チャンバ体積を減少させるように構成された第１の体積制御素子のみを含む、項目１に記載の調整可能な屈折力の眼内レンズ。
（項目３）
前記体積制御素子が、前記輸送物質を前記光学流体から吸収して前記チャンバ体積を増加させるように構成された第２の体積制御素子のみを含む、項目１に記載の調整可能な屈折力の眼内レンズ。
（項目４）
前記体積制御素子が、
前記輸送物質を前記光学流体中に放出して前記チャンバ体積を減少させるように構成された第１の体積制御素子と、
前記輸送物質を前記光学流体から吸収して前記チャンバ体積を増加させるように構成された第２の体積制御素子と、を含む、項目１に記載の調整可能な屈折力の眼内レンズ。
（項目５）
前記第１の体積制御素子が、第１の種類のエネルギーにより作動し、
前記第２の体積制御素子が、前記第１の種類のエネルギーとは異なる第２の種類のエネルギーにより作動する、項目４に記載の調整可能な屈折力の眼内レンズ。
（項目６）
前記第１の種類のエネルギーが、レーザエネルギー、超音波エネルギー、電気エネルギー、および赤外線エネルギーを含む群から選択され、
前記第２の種類のエネルギーが、レーザエネルギー、超音波エネルギー、電気エネルギー、および赤外線エネルギーを含む群から選択される異なる種類のエネルギーである、項目５に記載の調整可能な屈折力の眼内レンズ。
（項目７）
前記第１の体積制御素子が、第１の波長または周波数のエネルギーにより作動し、
前記第２の体積制御素子が、前記第１の波長または周波数とは異なる第２の波長または周波数の、同じ種類のエネルギーにより作動する、項目４に記載の調整可能な屈折力の眼内レンズ。
（項目８）
前記エネルギーがレーザエネルギーであり、前記第１の波長が第１の帯域幅内にあり、前記第２の波長が、前記第１の帯域幅の外側の第２の帯域幅内にある、項目７に記載の調整可能な屈折力の眼内レンズ。
（項目９）
前記エネルギーが超音波エネルギーであり、前記第１の周波数が第１の周波数範囲内にあり、前記第２の周波数が、前記第１の周波数範囲とは異なる第２の周波数範囲内にある、項目７に記載の調整可能な屈折力の眼内レンズ。
（項目１０）
前記エネルギーが無線周波数エネルギーであり、前記第１の周波数が第１の周波数範囲内にあり、前記第２の周波数が、前記第１の周波数範囲とは異なる第２の周波数範囲内にある、項目７に記載の調整可能な屈折力の眼内レンズ。
（項目１１）
前記光学流体がオイルを含み、前記輸送物質が水を含む、項目１に記載の調整可能な屈折力の眼内レンズ。
（項目１２）
前記周辺部品が外側流体リザーバを含み、
前記光学部品が、前記周辺部品と流体連通する調節光学部品を含み、前記光学流体が、天然眼の毛様体筋の動きに応じて、前記周辺部品と前記光学部品との間で流れ、
前記体積制御素子が、（ａ）作動すると前記輸送物質を放出するように構成された第１の体積制御素子、および（ｂ）作動すると前記輸送物質を吸収するように構成された第２の体積制御素子を含む、項目１に記載の調整可能な屈折力の眼内レンズ。
（項目１３）
前記光学流体がオイルを含み、
前記輸送物質が水を含み、
前記第１の体積制御素子が、作動すると破壊され、前記輸送物質を前記光学流体中に放出し、前記放出した輸送物質の少なくとも一部が前記容器から流れ出すことにより、前記流体チャンバ内の物質の体積が減少し、
前記第２の体積制御素子が、作動すると破壊され、前記輸送物質を前記光学流体から吸収することにより大きくなり、前記容器の外部からの追加の輸送流体が、前記容器に流れ込むことにより、前記流体チャンバ内の物質の体積が増加する、項目１２に記載の調整可能な屈折力の眼内レンズ。
（項目１４）
前記体積制御素子が、
シェルと、前記シェル内に含まれる水と、を有する第１の体積制御素子と、
シェルと、前記シェル内に含まれる脱水ヒドロゲルと、を有する第２の体積制御素子と、を含む、項目１に記載の調整可能な屈折力の眼内レンズ。
（項目１５）
前記シェルが、ワックスまたはリポソームを含む、項目１４に記載の調整可能な屈折力の眼内レンズ。
（項目１６）
眼内レンズを移植する方法であって、
調整可能な屈折力の眼内レンズを天然眼の天然水晶体嚢に挿入することと、
前記調整可能な屈折力の眼内レンズ内の体積制御素子に非侵襲的活性化エネルギーを作用させることにより、前記天然水晶体嚢への挿入後の前記調整可能な屈折力の眼内レンズの屈折力をその場で調整することと、を含み、
活性化エネルギーにより、前記調整可能な屈折力の眼内レンズ内の前記体積制御素子が、（ａ）輸送物質を前記眼内レンズ内の光学流体中に放出し、その結果、前記体積制御素子が収縮し、飽和点を超える過剰な輸送物質が前記調整可能な屈折力の眼内レンズから流れ出すことにより、前記調整可能な屈折力の眼内レンズ内の物質の体積が減少するか、または（ｂ）前記輸送物質を前記光学流体から吸収し、その結果、前記体積制御素子が膨張し、追加の輸送物質が前記調整可能な屈折力の眼内レンズに流れ込むことにより、前記調整可能な屈折力の眼内レンズ内の物質の前記体積が増加する、方法。